(57)【要約】【課題】放送番組のユーザーの見落し発生を抑制する放送受信再生装置を提供する。【解決手段】２つの放送受信手段うち一方の放送受信手段の受信チャンネルの視聴が一定時間の経過前であることを検出した場合はチャンネル選択解除指示が供給されるまでこのチャンネル固定し、一定時間の経過後であると判定された場合は一定時間の経過時点において選択されている受信チャンネルに固定して、一定時間の経過後と判定された場合であってチャンネル切替要求指示が供給されたときに、他方の放送受信手段に受信チャンネルを切替えて、一方及び他方のチャンネルデータをそれぞれ一時記録することで、ユーザーが何気に番組を見ている時に、別の番組で見逃したシーンを再度視聴することを可能とし、ユーザーが意識的に録画を宣言していない番組でも見逃しを抑制する。【選択図】  図２
2007104317.tif 000002
【特許請求の範囲】
【請求項１】
２つの放送受信手段でそれぞれ受信された複数のチャンネルからなる放送信号から、少なくとも映像データが含まれたチャンネルデータを抽出し、使用者からの再生要求に応じて再生手段で再生させて出力する放送受信再生装置において、
当該放送受信再生装置の起動時から、所望のチャンネルに切替えるためのチャンネル切替要求指示が供給されるまでの時間を計測するシステムタイマ手段と、
前記システムタイマ手段で計測された時間が一定時間を経過したか否かを判定する判定手段と、
前記一方の放送受信手段の受信チャンネルを、前記判定手段によって前記計測時間が前記一定時間の経過前に判定される場合はチャンネル選択解除指示が供給されるまで固定するとともに、前記判定手段によって前記計測時間が前記一定時間の経過後と判定される場合は前記一定時間の経過時点において選択されている受信チャンネルに固定するチャンネル固定手段と、
前記判定手段によって前記計測時間が前記一定時間の経過後と判定された場合であってチャンネル切替要求指示が供給されたときに、前記他方の放送受信手段に受信チャンネルを切替えるチャンネル切替手段と、
前記一方の放送受信手段により受信されたチャンネルデータを一時記録する第１の一時記録手段と、
前記他方の放送受信手段により受信されたチャンネルデータを一時記録する第２の一時記録手段と、
前記チャンネル切替手段による受信チャンネルの切替前は前記第１の一時記録手段に記録されたチャンネルデータを前記再生手段により再生出力させるとともに、前記受信チャンネルの切替後は前記第２の一時記録手段に記録されたチャンネルデータを再生出力させるように制御する再生制御手段と、
を備えることを特徴とする放送受信再生装置。
【請求項２】
２つの放送受信手段でそれぞれ受信された複数のチャンネルからなる放送信号から、少なくとも映像データが含まれたチャンネルデータを抽出し、使用者からの再生要求に応じて再生手段で再生させて出力する放送受信再生装置において、
前記抽出されたチャンネルデータからコマーシャル番組の終了時点を検出するコマーシャル検出手段と、
前記コマーシャル検出手段でコマーシャル番組の終了時点が検出されたときから計時を開始するシステムタイマ手段と、
前記システムタイマ手段で計測された時間が一定時間を経過したか否かを判定する判定手段と、
前記一方の放送受信手段の受信チャンネルを、前記判定手段によって前記計測時間が前記一定時間を経過後と判定された場合に、前記一定時間の経過時点において選択されている受信チャンネルに固定するチャンネル固定手段と、
前記判定手段によって前記計測時間が前記一定時間の経過後と判定された場合であってチャンネル切替要求指示が供給されたときに、前記他方の放送受信手段に受信チャンネルを切替えるチャンネル切替手段と、
前記一方の放送受信手段により受信されたチャンネルデータを一時記録する第１の一時記録手段と、
前記他方の放送受信手段により受信されたチャンネルデータを一時記録する第２の一時記録手段と、
前記チャンネル切替手段による受信チャンネルの切替前は前記第１の一時記録手段に記録されたチャンネルデータを前記再生手段により再生出力させるとともに、前記受信チャンネルの切替後は前記第２の一時記録手段に記録されたチャンネルデータを再生出力させるように制御する再生制御手段と、
を備えることを特徴とする放送受信再生装置。
【請求項３】
２つの放送受信手段でそれぞれ受信された複数のチャンネルからなる放送信号から、少なくとも映像データが含まれたチャンネルデータを抽出し、使用者からの再生要求に応じて再生手段で再生させて出力する放送受信再生装置において、
当該放送受信再生装置の起動時から、所望のチャンネルに切替えるためのチャンネル切替要求指示が供給されるまでの時間を計測するシステムタイマ手段と、
前記抽出されたチャンネルデータからコマーシャル番組の開始時点及び終了時点を検出するコマーシャル検出手段と、
前記システムタイマ手段で計測された時間と前記コマーシャル検出手段で検出されたコマーシャル番組の開始時点と終了時点とに基づき、前記チャンネル切替要求指示が前記コマーシャル番組の最中に供給されたと判定された場合に、前回供給されたチャンネル切替要求指示に対応した時間と前記コマーシャルの開始時点との時間間隔が一定時間を経過したか否かを判定する判定手段と、
前記一方の放送受信手段の受信チャンネルを、前記判定手段によって前記時間間隔が前記一定時間の経過後と判定された場合に、前記一定時間の経過時点において選択されている受信チャンネルに固定するチャンネル固定手段と、
前記判定手段によって前記時間間隔が前記一定時間の経過後と判定された場合であってチャンネル切替要求指示が供給されたときに、前記他方の放送受信手段に受信チャンネルを切替えるチャンネル切替手段と、
前記一方の放送受信手段により受信されたチャンネルデータを一時記録する第１の一時記録手段と、
前記他方の放送受信手段により受信されたチャンネルデータを一時記録する第２の一時記録手段と、
前記チャンネル切替手段による受信チャンネル切替前は前記第１の一時記録手段に記録されたチャンネルデータを前記再生手段により再生出力させるとともに、前記受信チャンネルの切替後は前記第２の一時記録手段に記録されたチャンネルデータを再生出力させるように制御する再生制御手段と、
を備えたことを特徴とする放送受信再生装置。
【発明の詳細な説明】
【技術分野】
【０００１】
本発明は、光ディスクやハードディスク或いは半導体メモリ等の大容量記録媒体への記録再生を行う放送受信再生装置に関し、特に、テレビジョン放送等の放送番組の記録及び再生を行う放送用の放送受信再生装置に関する。
【背景技術】
【０００２】
従来、ＴＶ番組等の映像（及び音声）のコンテンツの記録再生を行う放送受信再生装置としては、ビデオテープを用いたＶＴＲが知られているが、近年では、ＨＤＤレコーダやＤＶＤレコーダ等と称されるハードディスクや光ディスクあるいは半導体メモリ等の大容量記録媒体を用いた放送受信再生装置が知られている。これらハードディスク等のランダムアクセス可能な記録媒体を用いた放送受信再生装置では、視聴者は所望の番組を録画しながら他の録画番組を再生したりすることも可能となっている。
【０００３】
また、ハードディスク等の高速ランダムアクセスを可能とした大容量記録媒体を用いることで、タイムシフト再生に類似する機能としてキャッシュ再生と呼ばれる機能も提案されている。このキャッシュ再生では、放送中の視聴番組を所定容量（所定時間）を限度として常に記録媒体に一時的に録画することで、ユーザーが少し前のシーンからもう一度視聴したいという場合等に、このキャッシュとして蓄えられている範囲内において、時間をさかのぼって再生できるものがあり、下記文献等でも公開されている。
【０００４】
例えば特許文献１で開示されたようなキャッシュ記録機能及びその再生機能を備えた放送受信再生装置は、ユーザーが何気なく視聴している番組において、見逃してしまったシーンや特別にもう一度視聴しなおしたいと思うシーンが有った場合にその時点からでもユーザーがキャッシュに録画されているデータを再生することで視聴することができることをねらいとするものである。
【０００５】
また、特許文献２、特許文献３及び特許文献４で開示されたような放送受信再生装置は、放送信号を受信・選局するチューナを複数備えることで、特定の番組を録画する一方で他の番組を再生することを可能にするものである。
【特許文献１】特開２００２−１００１６２号公報
【特許文献２】特開２００２−５１２９０号公報
【特許文献３】特開２００３−５２００１号公報
【特許文献４】特開２００４−７２４４９号公報
【発明の開示】
【発明が解決しようとする課題】
【０００６】
しかしながら、特許文献１記載のキャッシュ録画は、視聴中の番組を記録するものであるため、ユーザーが視聴チャンネルを切替えることで当然そのキャッシュへの記録データもその選局に依存することになる。このため、このキャッシュ機能を十分に活用するためには、ユーザーが余り無闇にチャンネルを切替えることは差し支えることが望ましく、チャンネル移動の激しいユーザーにとってはその機能の恩恵を十分に得られないという欠点を有している。
【０００７】
また、特許文献２及び特許文献３における放送受信再生装置は、録画される番組はユーザーの意思により選択されることが前提であり、それゆえに、その番組を録画している時に他の番組を視聴する場合には、別のチューナで所望番組を選択して視聴することが可能となるものであり、本来キャッシュ録画機能に求められる要素の一つである、「何気なく視聴している番組に対してのキャッシュ記録」という観点からは十分なものとはいえない。
【０００８】
さらに、特許文献４における放送受信再生装置では親子画面での再生において二種類番組を視聴する際のキャッシュ録画であり、親画面再生番組の録画を固定チャンネル録画の対象とすることで特定の番組をチャンネル固定して録画したうえで他のチャンネルを選局して再生できるものであるが、この装置においても親子画面の関係によってユーザーがどちらの番組を見ようとしているかという意思をくみ取ったものであるため、親子画面を利用していない全画面再生によるチャンネルチェンジにおいては使うことができないという問題を有している。
【０００９】
本発明は、上記課題を鑑みてなされたものであり、その目的は、ユーザーの気まぐれなチェンネル切替えの影響を受けずに、ユーザーにとって優先度の高いチャンネルを検出して一時記録手段へ連続記録を行う一方で、それほど優先度の高くないチャンネルに対しても一定条件を満たすチャンネルについては一時記憶を行うことで、ユーザーが見落したシーンの発生を抑制する放送受信再生装置を提供するものである。
【課題を解決するための手段】
【００１０】
請求項１記載の本発明は、２つの放送受信手段でそれぞれ受信された複数のチャンネルからなる放送信号から、少なくとも映像データが含まれたチャンネルデータを抽出し、使用者からの再生要求に応じて再生手段で再生させて出力する放送受信再生装置において、この放送受信再生装置の起動時から、所望のチャンネルに切替えるためのチャンネル切替要求指示が供給されるまでの時間を計測するシステムタイマ手段と、システムタイマ手段で計測された時間が一定時間を経過したか否かを判定する判定手段と、一方の放送受信手段の受信チャンネルを、判定手段によって計測時間が一定時間の経過前に判定される場合はチャンネル選択解除支持が供給されるまで固定するとともに、判定手段によって計測時間が一定時間の経過後と判定される場合は一定時間の経過時点において選択されている受信チャンネルに固定するチャンネル固定手段と、判定手段によって計測時間が一定時間の経過後と判定された場合であってチャンネル切替要求指示が供給されたときに、他方の放送受信手段に受信チャンネルを切替えるチャンネル切替手段と、一方の放送受信手段により受信されたチャンネルデータを一時記録する第１の一時記録手段と、他方の放送受信手段により受信されたチャンネルデータを一時記録する第２の一時記録手段と、チャンネル切替手段による受信チャンネルの切替前は第１の一時記録手段に記録されたチャンネルデータを再生手段により再生出力させるとともに、受信チャンネルの切替後は第２の一時記録手段に記録されたチャンネルデータを再生出力させるように制御する再生制御手段と、を備えることを要旨とする。
【００１１】
請求項２記載の本発明は、２つの放送受信手段でそれぞれ受信された複数のチャンネルからなる放送信号から、少なくとも映像データが含まれたチャンネルデータを抽出し、使用者からの再生要求に応じて再生手段で再生させて出力する放送受信再生装置において、抽出されたチャンネルデータからコマーシャル番組の終了時点を検出するコマーシャル検出手段と、コマーシャル検出手段でコマーシャル番組の終了時点が検出されたときから計時を開始するシステムタイマ手段と、システムタイマ手段で計測された時間が一定時間を経過したか否かを判定する判定手段と、一方の放送受信手段の受信チャンネルを、判定手段によって計測時間が一定時間を経過後と判定された場合に、一定時間の経過時点において選択されている受信チャンネルに固定するチャンネル固定手段と、判定手段によって計測時間が一定時間の経過後と判定された場合であってチャンネル切替要求指示が供給されたときに、他方の放送受信手段に受信チャンネルを切替えるチャンネル切替手段と、一方の放送受信手段により受信されたチャンネルデータを一時記録する第１の一時記録手段と、他方の放送受信手段により受信されたチャンネルデータを一時記録する第２の一時記録手段と、チャンネル切替手段による受信チャンネルの切替前は第１の一時記録手段に記録されたチャンネルデータを再生手段により再生出力させるとともに、受信チャンネルの切替後は第２の一時記録手段に記録されたチャンネルデータを再生出力させるように制御する再生制御手段とを備えることを要旨とする。
【００１２】
請求項３記載の本発明は、２つの放送受信手段でそれぞれ受信された複数のチャンネルからなる放送信号から、少なくとも映像データが含まれたチャンネルデータを抽出し、使用者からの再生要求に応じて再生手段で再生させて出力する放送受信再生装置において、この放送受信再生装置の起動時から、所望のチャンネルに切替えるためのチャンネル切替要求指示が供給されるまでの時間を計測するシステムタイマ手段と、抽出されたチャンネルデータからコマーシャル番組の開始時点及び終了時点を検出するコマーシャル検出手段と、システムタイマ手段で計測された時間とコマーシャル検出手段で検出されたコマーシャル番組の開始時点と終了時点とに基づき、チャンネル切替要求指示がコマーシャル番組の最中に供給されたと判定された場合に、前回供給されたチャンネル切替要求指示に対応した時間とコマーシャルの開始時点との時間間隔が一定時間を経過したか否かを判定する判定手段と、一方の放送受信手段の受信チャンネルを、判定手段によって時間間隔が一定時間の経過後と判定された場合に、一定時間の経過時点において選択されている受信チャンネルに固定するチャンネル固定手段と、判定手段によって時間間隔が一定時間の経過後と判定された場合であってチャンネル切替要求指示が供給されたときに、他方の放送受信手段に受信チャンネルを切替えるチャンネル切替手段と、一方の放送受信手段により受信されたチャンネルデータを一時記録する第１の一時記録手段と、他方の放送受信手段により受信されたチャンネルデータを一時記録する第２の一時記録手段と、チャンネル切替手段による受信チャンネル切替前は第１の一時記録手段に記録されたチャンネルデータを再生手段により再生出力させるとともに、受信チャンネルの切替後は第２の一時記録手段に記録されたチャンネルデータを再生出力させるように制御する再生制御手段と、を備えたことを要旨とする。
【発明の効果】
【００１３】
本発明の放送受信再生装置によれば、視聴番組の自動一時記録機能を備えることにより、ユーザーの視聴チャンネルの切替えとは関係なく、一定の条件によりユーザーが興味を示したと認定した番組は、認定後ユーザーの視聴番組の一時記録とは関係なく、別途それまでの自動一時記録に継続して録画を続けることができるので、ユーザーが何気に番組を見ている時に、別の番組で見逃したシーンを再度視聴することが可能であり、ユーザーが意識的に録画を宣言していない番組でも見逃しを抑制することができる。またこれによりユーザーは、自身が絶対録画したいもののみ意識して録画操作すればよいことから、ユーザー操作も軽減させることができる。
【発明を実施するための最良の形態】
【００１４】
以下、本発明の放送受信再生装置を実施するための最良の形態について図面を参照して説明する。
【００１５】
図１は、本発明に係る放送受信再生装置の一実施形態の構成を示したブロック図である。また図２は、本発明に係る放送受信再生装置が備える制御手段と記録処理手段の具体的な構成を示したブロック図である。
【００１６】
本発明の放送受信再生装置は、装置外部に接続された外部機器等から入力される信号を入力信号１として受信する入力手段２と、同じく外部接続されたアンテナ等の受信装置を用いて放送信号を入力信号２として受信する、選局機能を備えた放送受信手段３（チューナ１）と、放送受信手段３と同等機能を備え、放送受信手段３で受信する放送信号とは異なる放送信号を入力信号３として受信する放送受信手段４（チューナ２）と、これら入力信号１〜３を記録する記録媒体を備えた記録処理手段５と、装置の操作状況や動作状況を例えば装置のフロントパネルに視認可能に表示させる表示手段６と、ユーザーが操作するリモコン等から発信された信号を受信するユーザー制御手段７と、入力信号１〜３及び記録媒体から読み出した各種信号を外部接続された映像モニタ又は外部記録機器に出力する出力手段８と、これら各種手段を統合して所定のプログラム処理に従って制御する制御手段１とを備えている。
【００１７】
ここで図１と併せて図２を参照し、放送受信再生装置の全体構造の説明に加え、制御手段１及び記録処理手段５の構成を詳細に説明する。
【００１８】
図１に示した入力手段２、放送受信手段３及び放送受信手段４には、これら手段を介して取得した入力信号１〜３の中から後工程で処理の対象となる信号を少なくとも１つ以上選択する信号セレクト手段１０が接続されている。
【００１９】
信号セレクト手段１０には、選択された入力信号を圧縮処理（例えばＭＰＥＧ方式圧縮）等で信号処理を行う記録信号処理手段５１が接続されており、システム制御手段１１の指示により入力信号１〜３の選択及び記録制御手段５２への出力を行う。
【００２０】
記録信号処理手段５１には、記録信号処理された信号を後段に接続されている記録メディアマネージメント手段５３に出力する記録制御手段５２が接続されており、システム制御手段１１の指示により記録信号処理された信号の記録制御手段５２への出力を行う。
【００２１】
記録制御手段５２には、取得した信号の種類に応じて予め規定された記録媒体にこの信号を個別記憶及び外部からの要求に応じて特定のデータを読み出す記録メディアマネージメント手段５３が接続されており、システム制御手段１１の指示により記録信号処理された信号の記録媒体への記録及び読込みを行う。
【００２２】
記録メディアマネージメント手段５３には、放送受信手段３から取得した入力信号２を一時的に記録する一時記録手段５４と、放送受信手段４から取得した入力信号３を一時的に記録する一時記録手段５５と、何れの信号をも主たる保存の対象とする記録手段５６と、これら記録手段から読出された各種信号を取得して再生する再生制御手段１２が接続されている。
【００２３】
ここで一時記録手段５４及び一時記録手段５５には、ユーザーが実際に視聴している映像データ（音声データ及び動画データを含む）が記録される。この一時記録手段５４及び一時記録手段５５に記憶される入力信号２及び入力信号３には、予め一定の条件、例えば時間、データサイズ又は装置ＯＦＦ等の指示が記録されており、条件が満たされた場合にこれらデータを消去（無効化）する指示が記録されている。
【００２４】
ここで図２において一時記録手段５４、一時記録手段５５及び記録手段５６は、説明の都合上個別に記載しているが、これら記憶手段は、例えばハードディスク等の等速アクセスが可能な大容量装置等を用いる場合は、１つのハードディスクを予め記録領域別に割り振り、各領域に各種信号を記憶させるようにしてもよい。また記憶手段に記憶される信号を各々ファイル化して記憶させるようにしてもよい。
【００２５】
本実施の形態においては、記録信号処理手段５１、記録制御手段５２、記録メディアマネージメント手段５３、一時記録手段５４、一時記録手段５５及び記録手段５６により記録処理手段５が構成されている。
【００２６】
再生制御手段１２には、後段に接続されているディスプレイ表示処理手段１５に、記録信号処理手段５１で記録信号処理された信号を表示可能に処理（例えばＭＰＥＧ伸張等）する再生信号処理手段１３と、再生制御手段１２から出力される表示信号に基づいて、再生信号処理手段１３で処理された表示可能な映像データ等をディスプレイ表示処理手段１５に出力する表示制御手段１４が接続されている。再生制御手段１２及び表示制御手段１４で行われるデータの取得及び出力は、システム制御手段１１の指示により制御が行われる。
【００２７】
再生信号処理手段１３及び表示制御手段１４には、再生信号処理手段１３及び表示制御手段１４から映像データ等を取得し、これに例えばオンスクリーンディスプレイ処理等の表示処理し出力手段８に出力するディスプレイ表示処理手段１５が接続されている。
【００２８】
システム制御手段１１には、ユーザーにより登録された予約録画の管理制御を行う予約録画制御手段１６と、この予約日時等の管理及び装置起動時点から視聴チャンネルの切替要求指示が出力されまでの経過時間を計測するシステムタイマ手段１７が接続されている。
【００２９】
このシステム制御手段１１は、システムタイマ手段１７で計測した計測時間が一定時間を経過したか否かを判定する判定手段１１１と、ユーザーからのチャンネル選択解除指示が入力されるまで一の放送受信手段（例えば放送受信手段３）のチェンネルを固定するチャンネル固定手段１１２と、ユーザーのチャンネル切替要求に対し他の放送受信手段（例えば放送受信手段４）にチャンネルを切替えてチャンネルを固定するチャンネル割込要求受信手段（チャンネル切替手段）１１３とを備えている。
【００３０】
尚、上記各種処理手段及び制御手段が具備される制御手段１及び記録処理手段５は、例えばＣＰＵ、ＲＡＭ、ＲＯＭからなり、ＲＯＭに記録された処理プログラムをＲＡＭに展開して、ＣＰＵでこの処理プログラムを実行するようになっている。ここで処理プログラムとは、例えば信号セレクト手段１０において入力信号１〜３の中から一の入力信号を選択して記録信号処理手段５１に出力させるプログラムや、記録信号処理手段５１において選択された入力信号を圧縮処理して記録制御手段５２に出力させるプログラムや、記憶媒体に各種信号を記憶させるプログラム等がある。入力手段２、放送受信手段３，４、表示手段６、ユーザー制御手段７及び出力手段８は、各種専用電子回路により構成されるものである。
【００３１】
ここで図３〜５を参照して、一般的な放送信号の一時記録のタイミング等を説明する。本説明にあたり、これらタイミングイメージ図の横軸は時間（ｔ）、縦項目は各部の様子（ユーザーの要求：Ｕ、チューナの状態：Ｔｕ、一時記録内容：Ｃ、一時記録の再生状態：Ｐ、ディスプレイ表示状態：Ｄ等）とする。尚、下記説明においては次のような表記を用いる。例えば、図３の右上に表記している「Ｕ（ｔ７）＝Ｃｈ４」は、ユーザーがｔ７のタイミングでＣｈ４チャンネルへのチャンネル切替え要求を出すことを示すものであり、同様に「Ｃ(ｔ４)＝Ｃｈ1」は、一時記録装置Ｃのタイミングｔ４においてＣｈ1のデータを記録し始めたことを示している。以下、図３、図４、図５、図６、図８、図１０、図１２のタイミングイメージの説明においても同様の表現を用いる。
【００３２】
尚、図３は、ユーザーＵが視聴チャンネルを切替えた時のチューナＴｕの選局変化及びその際の一時記録装置への記録チャンネルと、ユーザーがこの一時記録装置に記録されたデータを再生した場合の再生状態Ｐと、それらの各視聴状況を表した表示状態Ｄを示したものであり、ユーザーのチャンネル切替え要求によりチューナが切替えられ、その信号が一時記録装置に記録されるシステムの基本例である。
【００３３】
まず同図に示すように、放送受信再生装置の電源スイッチ及び録画スイッチがＯＮされた後に、ユーザーがリモコンを用いて順次出力するチャンネル切替え要求 Ｕ（ｔ１）＝Ｃｈ１、Ｕ（ｔ２）＝Ｃｈ３、Ｕ（ｔ３）＝Ｃｈ４、Ｕ（ｔ４）＝Ｃｈ１をシステム制御手段１１が取得すると、チューナはこれに対して随時Ｔｕ（ｔ１）＝Ｃｈ１、Ｔｕ（ｔ２）＝Ｃｈ３、Ｔｕ（ｔ３）＝Ｃｈ４、Ｔｕ（ｔ４）＝Ｃｈ１とチャンネルを切替える。このチューナを記録している一時記録装置Ｃは記録内容をＣ（ｔ１）＝Ｃｈ１、Ｃ（ｔ２）＝Ｃｈ３、Ｃ（ｔ３）＝Ｃｈ４、Ｃ（ｔ４）＝Ｃｈ１と切替えて記録するとともに、表示ディスプレイもＤ（ｔ１）＝Ｃｈ１、Ｄ（ｔ２）＝Ｃｈ３、Ｄ（ｔ３）＝Ｃｈ４、Ｄ（ｔ４）＝Ｃｈ１と切替えて表示する。
【００３４】
ユーザーが一時記録装置Ｃに記録されたデータを再生する再生指示Ｕ（ｔ５）＝再生を出力すると、ディスプレイ表示状態は再生映像を出力するようＤ（ｔ５）＝再生とする一方で、一時記録装置はこれまで通りＣ（ｔ５）＝Ｃｈ１とし、一時記録装置にはユーザーが選局しているチューナデータをそのまま記録させる。
【００３５】
また図４は、図３で説明したチャンネルの切替えに追随した一時記憶装置への記録切替を行う動作に加えて、ユーザーからの録画指示を受けると現在受信中の映像の録画を開始するタイミングを示したものである。基本的な動作は図３と同様のため説明は省略する。
【００３６】
次に、図５を参照して、２個のチューナを有する放送受信再生装置の、チューナのチャンネル切替え動作及び一時記録動作について説明する。
【００３７】
まず、ユーザーによりチャンネル切替え要求Ｕ（ｔ１８）＝Ｃｈ６が出力されると、一方のチューナ１がＴｕ１（ｔ１８）＝Ｃｈ６とチェンネル設定される。同様にユーザー要求Ｕ（ｔ１９）＝Ｃｈ１でチューナ１がＴｕ１（ｔ１９）＝Ｃｈ１とチャンネル切替えを行うと、ユーザーがこのチャンネル（Ｃｈ１）の視聴を希望していると解して、これを一応記録することとして一時記録要求Ｕ（ｔ２０）＝記録を行うことで一時記録装置Ｃ１がチューナ１からのチャンネルＣｈ１の記録をＣ1（ｔ２０）＝Ｃｈ1を開始する。チューナ１の一時記録Ｃ１への録画がされている最中にユーザー要求Ｕ（ｔ２１）＝Ｃｈ３、Ｕ（ｔ２２）＝Ｃｈ４でそれぞれチャンネル切替え要求が出された時には、チューナＴｕ１の選局及び一時記録Ｃ１の録画チャンネルはそのまま継続し、ユーザーからのチャンネル要求には他方のチューナＴｕ２が応対するようＴｕ２（ｔ２１）＝Ｃｈ３、Ｔｕ２（ｔ２２）＝Ｃｈ４の選局設定をし、このチューナＴｕ２の選局データを表示させる。つまり、ユーザーが特定の番組を記録させるときはその後のチャンネル選局は他方のチューナで行い、ユーザー録画中でも他の番組を視聴できる。
【００３８】
図３に示したシステムは、ユーザーにより選択及び録画指示されたＣｈ１のみが録画され、他のＣｈ３及びＣｈ４は録画されていないことから、後からＣｈ３及びＣｈ４の見逃した部分を再度視聴したくても見ることができない。図４に示したシステムは、ユーザーが選択したチャンネルを録画し、次のチャンネル切替え指示が出力された場合に新たに選択されたチャンネルの録画を開始するものであり、これもまたＣｈ３及びＣｈ４の見逃した部分を再度視聴したくても見ることはできない。一方、図５に示したシステムは、チューナを２個有するため、録画しているチャンネル以外を視聴することはできるが、録画する必要性をあまり感じていなかったチャンネルに対しては再度視聴したいと思ってもユーザーにより選択録画された以外のチューナは録画されないため、視聴することができない。
【００３９】
そこで次に図６を参照して、本発明に係る放送受信再生装置の第１の実施例について説明する。
【００４０】
本発明の放送受信再生装置は、アンテナや他の再生機器等からの信号を取得し、このデータを記録媒体へ記録するとともに、その記録媒体に記録したデータを読み出して映像モニタ（ＴＶ等）や他の記録装置等へ再生出力する放送受信再生装置であって、特に、放送信号の一時記録のタイミングにおいて、ユーザーの視聴チャンネルの切替操作に関係なく、一定の条件を満たしたものはユーザーの興味を引いたチャンネルと判定して、自動的に一時記録を行うことを特徴とするものである。
【００４１】
本発明の放送受信再生装置は、上述したように、２つのチューナＴｕ１及びＴｕ２を有し、この各チューナからの入力信号２及び３をそれぞれ自動で一時記録するための一時記録装置Ｃ１及びＣ２を備えている。
【００４２】
この放送受信再生装置は、電源投入時（ｔ３０）から一時記録機能が作動するように予め設定がなされており、これによりＣ１（ｔ３０）＝記録、Ｃ２（ｔ３０）＝記録となり、各チューナを介して取得した映像データの記録を開始する。
【００４３】
ここでシステム制御手段１１は、システム起動時から計時を開始してＴ０時間経過以内にユーザーからチャンネル切替え要求Ｕ（ｔ３１）＝Ｃｈ1、Ｕ（ｔ３２）＝Ｃｈ３、Ｕ（ｔ３３）＝Ｃｈ1を受けると、これに応じてチューナＴｕ１にＴｕ１（ｔ３１）＝Ｃｈ1、Ｔｕ１（ｔ３２）＝Ｃｈ３、Ｔｕ１（ｔ３３）＝Ｃｈ1を選局させる。そしてチューナＴｕ１を介して取得した入力信号２を一時記録装置Ｃ１にＣ１（ｔ３１）＝Ｃｈ1、Ｃ１（ｔ３２）＝Ｃｈ３、Ｃ１（ｔ３３）＝Ｃｈ1の順に録画させ、次いで、Ｔ０時間経過後であってＴ1時間だけ経過したｔ３５の時点でユーザーからチャンネル切替え要求Ｕ（ｔ３５）＝Ｃｈ４が出力されると、チューナＴｕ１の選局及び一時記録装置Ｃ１への録画はそれまで通り継続する一方で、ｔ３５以降のユーザー要求に対しては他方のチューナＴｕ２を適用させる。即ちＴｕ２（ｔ３５）＝Ｃｈ４となる。
【００４４】
同様に、これ以降のユーザーからのチャンネル切替え要求Ｕ（ｔ３６）＝Ｃｈ３、Ｕ（ｔ３７）＝Ｃｈ６、Ｕ（ｔ３８）＝Ｃｈ1、Ｕ（ｔ３９）＝Ｃｈ８がユーザーから出力されると、チューナＴｕ２はＴｕ２（ｔ３６）＝Ｃｈ３、Ｔｕ２（ｔ３７）＝Ｃｈ６、Ｔｕ２（ｔ３８）＝Ｃｈ1、Ｔｕ２（ｔ３９）＝Ｃｈ８に選局され、このチューナＴｕ２からの信号を一時記録装置Ｃ２がＣ２（ｔ３６）＝Ｃｈ３、Ｃ２（ｔ３７）＝Ｃｈ６、Ｃ２（ｔ３８）＝Ｃｈ1、Ｃ２（ｔ３９）＝Ｃｈ８と順次切替え及び録画を行うものであり、見かけ上、システム起動時からの時間がＴ０を越えたｔ３４の時点で、その時視聴に使っていたチューナＴｕ１のチャンネルがロック（固定）され、それ以降のチャンネル切替えはチューナＴｕ２が受け持つことで、ユーザーが見ていた番組をユーザーのチャンネル移動に関係なく一時記録装置に自動で連続記録させるものである。
【００４５】
次に図７を参照して上記処理工程を説明する。但し、ここでは説明を簡素化するためにチャンネル切替え及び一時記録の動作に限定して説明する。
【００４６】
まず、放送受信再生装置の電源をＯＮして装置を起動させる。
【００４７】
ステップＳ１で、システム制御手段１１は、ＲＯＭに予め記憶されているシステム起動プログラムを読込み、この起動処理の一環としてチューナ１及び２を起動させる。
【００４８】
ステップＳ２で、システム制御手段１１は、信号セレクト手段１０を介してチューナ１及び２のデータ受信状態を確認し、どちらのチューナも受信を開始していない場合は、予め優先順位が高く設定されているチューナ１から映像データの受信を開始させる。そしてシステム制御手段１１は、記録制御手段５２を介して記録信号処理手段５１に、同じ映像データを、保存用映像データとリアルタイム表示用映像データの２系統で取得させる。そして保存用の映像データには圧縮処理等の記録信号処理を施す指示を行い、リアルタイム表示用映像については後工程で説明する表示装置への表示を指示する。次いでシステム制御手段１１は、記録メディアマネージメント手段５３に対して記録信号処理手段５１で記録信号処理された映像データの格納を指示する。記録メディアマネージメント手段５３は、記録制御手段５２を介して取得した記録信号処理済みの映像データを一時記録手段５４に記憶させる。
【００４９】
次にステップＳ３で、システム制御手段１１は、システムタイマー手段１７に対してシステム起動と同時に計時を開始させる。
【００５０】
ステップＳ４で、システム制御手段１１は、ステップＳ２でリアルタイム表示用映像データとして取得した映像データを、記録信号処理手段５１、記録制御手段５２、記録メディアマネージメント手段５３、再生制御手段１２、表示制御手段１４及びディスプレイ表示Ｙ処理手段１５を介して表示モニタ（ＴＶ等）に表示させる。
【００５１】
ステップＳ５で、システム制御手段１１の判定手段１１１は、ユーザーからのチャンネル切替え要求の有無を監視し、チャンネル切替え要求があるまで切替え要求を待ちの待機を行い、チャンネル切替え要求があった場合には、チャンネルチェンジ要求有りと判定してステップＳ６に進む。
【００５２】
ステップＳ６で、システム制御手段１１の判定手段１１１は、システム起動時からの経過時間をチェックし、一定時間（Ｔ０）を経過していないと判定した場合には、ステップＳ７に進む。
【００５３】
ステップＳ７で、システム制御手段１１は、信号セレクト手段１０を介してチューナ１のチャンネルを要求チャンネルに切替える。
【００５４】
ステップＳ８で、システム制御手段１１は、チューナ１で選局された映像データを表示モニタに出力できるように出力選択スイッチを切替え、ステップＳ４で説明した経路と同じ経路を介して表示モニタに出力する。
【００５５】
一方、ステップＳ６で、システム制御手段１１の判定手段１１１が、一定時間（Ｔ０）を経過したと判定した場合には、ステップＳ９に進む。
【００５６】
ステップＳ９で、システム制御手段１１のチャンネル割込み要求受信手段（チャンネル切替手段）１１３は、信号セレクト手段１０を介してもう一方のチューナ２の状態をチェックし、チューナ２が録画中等で既に使用中であるならば、ステップＳ７に進む指示を出力して、チューナ１のチャンネルを要求チャンネルに切替え、ステップＳ８でチューナ１の選局データを表示部に出力できるように出力選択スイッチを切替え、更にステップＳ４で表示モニタへ出力させる。一方、ステップＳ９で、チューナ２が未使用であると判定した場合は、ステップＳ１０に進む。
【００５７】
ステップＳ１０で、システム制御手段１１のチャンネル固定手段１１２は、チューナ２のチャンネルを要求チャンネルに切替えると同時にチューナ１で受信しているチャンネルを固定する。
【００５８】
ステップＳ１１で、システム制御手段１１は、チューナ２の選局データを表示部に出力できるように出力選択スイッチを切替える。
【００５９】
そしてステップ１２で、システム制御手段１１は、チューナ２で選局しているデータをチューナ１の一時記録とは別に一時記録手段５５への格納を開始する。そしてステップＳ４に戻りチューナ２の選局番組を表示モニタへ出力させる。
【００６０】
以上説明した通り、第１実施例の動作及び処理を行うことにより、システムの起動から一定時間経過期間内におけるユーザーのチャンネル切替えについては、その切替えに追随した一時記録を行い、システム起動時から一定時間経過後のチャンネル切替えについては、ユーザーのチャンネル選局がほぼ決まった後のチャンネル切替えとみなして、他のチャンネルで受信を行うとともに、他の一時記録装置にその受信映像を録画する。これによりユーザーが何気なく視聴した番組であっても、ユーザーが再視聴を望んだときに、その時点に遡って視聴することが可能になる。
【００６１】
次に、図８を参照して本発明の第２実施例について説明する。本実施例において放送受信再生装置の構成は、図２に示したシステム構成とほぼ同じであるが、システム制御手段１１にＣＭ検出手段１１４を設けた点が異なる。それ以外の各種手段は第１実施例と同様のため同符号を付しその説明を省略する。尚、図８において、説明を分かりやすくするために、一時記録装置Ｃ２の表記は省略した。
【００６２】
この放送受信再生装置は、電源投入時（ｔ５０）から一時記録機能が作動するように予め設定がなされており、これによりＣ１（ｔ５０）＝記録（Ｃ２（ｔ５０）＝記録）となり、各チューナを介して取得した映像データの記録を開始する。
【００６３】
ここでシステム制御手段１１は、ユーザーからのチャンネル切替え要求  Ｕ（ｔ５１）＝Ｃｈ1、Ｕ（ｔ５２）＝Ｃｈ３、Ｕ（ｔ５３）＝Ｃｈ４、Ｕ（ｔ５４）＝Ｃｈ６、Ｕ（ｔ５５）＝Ｃｈ1を受けると、これに応じてチューナＴｕ１はＴｕ１（ｔ５１）＝Ｃｈ1、Ｔｕ１（ｔ５２）＝Ｃｈ３、Ｔｕ１（ｔ５３）＝Ｃｈ４、Ｔｕ１（ｔ５４）＝Ｃｈ６、Ｔｕ１（ｔ５５）＝Ｃｈ1に選局させる。そしてチューナＴｕ１を介して取得した入力信号２を一時記録装置Ｃ１にＣ１（ｔ５１）＝Ｃｈ1、Ｃ１（ｔ５２）＝Ｃｈ３、Ｃ１（ｔ５３）＝Ｃｈ４、Ｃ１（ｔ５４）＝Ｃｈ６、Ｃ１（ｔ５５）＝Ｃｈ１の順に録画させ、次いで、チューナＴｕ１で受信している番組においてＣＭを検出した場合は、そのＣＭの終わりをＣＭ検出手段１１４で検出し、ユーザーが同一チャンネルでどの程度視聴を継続したかを確認するためにシステムタイマ手段１７の計時タイムを取得する。この計測が一定時間（Ｔ８）を超えてからユーザーからチャンネル切替え要求Ｕ（ｔ５８）＝Ｃｈ４が発せられると、チューナＴｕ１の選局及び一時記録装置Ｃ１への録画はそれまで通り継続する一方で、ｔ５７以降のユーザー要求に対しては他方のチューナＴｕ２を適用させる。即ち、Ｔｕ２（ｔ５８）＝Ｃｈ４となる。
【００６４】
同様に、これ以降のユーザーからのチャンネル切替え要求Ｕ（ｔ５９）＝Ｃｈ３、Ｕ（ｔ６０）＝Ｃｈ1がユーザーから出力されると、チューナＴｕ２はＴｕ２（ｔ５９）＝Ｃｈ３、Ｔｕ２（ｔ６０）＝Ｃｈ１に選局され、このチューナＴｕ２からの信号を一時記録装置Ｃ２がＣ２（ｔ５９）＝Ｃｈ３、Ｃ２（ｔ６０）＝Ｃｈ1と順次切替え及び録画を行うものであり、見かけ上、ＣＭの終わりから一定時間（Ｔ８）経過した時間ｔ５７の時点で、その時視聴に使っていたチューナＴｕ１のチャンネルがロック（固定）され、それ以降のチャンネル切替えはチューナＴｕ２が受け持つことで、ユーザーが見ていた番組をユーザーのチャンネル移動に関係なく一時記録装置に自動で連続記録させるものである。
【００６５】
次に、図９を参照して上記処理工程を説明する。但し、ここでは説明を簡素化するためにチャンネル切替え及び一時記録の動作に限定して説明する。尚、本処理工程は、図７の処理工程と比較して、ステップＳ３に代えて、ステップＳ１５及びステップＳ１６を設けた点と、ステップＳ６に代えてステップＳ１７を設けた点が異なるが、説明の関係上、電源投入時からの一連の処理を説明する。
【００６６】
まず、放送受信再生装置の電源をＯＮして装置を起動させる。
【００６７】
ステップＳ１で、システム制御手段１１は、ＲＯＭに予め記憶されているシステム起動プログラムを読込み、この起動処理の一環としてチューナ１及び２を起動させる。
【００６８】
ステップＳ２で、システム制御手段１１は、信号セレクト手段１０を介してチューナ１及び２のデータ受信状態を確認し、どちらのチューナも受信を開始していない場合は、予め優先順位が高く設定されているチューナ１から映像データの受信を開始させる。そしてシステム制御手段１１は、記録制御手段５２を介して記録信号処理手段５１に、同じ映像データを、保存用映像データとリアルタイム表示用映像データの２系統で取得させる。そして保存用の映像データには圧縮処理等の記録信号処理を施す指示を行い、リアルタイム表示用映像については後工程で説明する表示装置への表示を指示する。次いでシステム制御手段１１は、記録メディアマネージメント手段５３に対して記録信号処理手段５１で記録信号処理された映像データの格納を指示する。記録メディアマネージメント手段５３は、記録制御手段５２を介して取得した記録信号処理済みの映像データを一時記録手段５４に記憶させる。
【００６９】
ステップＳ１５で、システム制御手段１１のＣＭ検出手段１１４は、信号セレクト手段１０を介してチューナ１の入力信号２からＣＭの終了点信号の検出を行う。ここでＣＭ終了点信号を検出した場合には、ステップＳ１６に進み、ＣＭ終了点信号を検出しなかった場合はステップＳ４に進む。
【００７０】
ステップＳ１６で、システム制御手段１１は、ＣＭ終了点信号の検出をきっかけにシステムタイマ手段に対して計時開始の指示を出力する。
【００７１】
ステップＳ４で、システム制御手段１１は、ステップＳ１５でＣＭ終了点信号が検出されなかった場合は直ちに、一方、ステップＳ１６でタイマー計時を開始させたときは、計時後直ちに、ステップＳ２でリアルタイム表示用映像データとして取得した映像データを、記録信号処理手段５１、記録制御手段５２、記録メディアマネージメント手段５３、再生制御手段１２、表示制御手段１４及びディスプレイ表示Ｙ処理手段１５を介して表示モニタ（ＴＶ等）に表示させる。
【００７２】
ステップＳ５で、システム制御手段１１の判定手段１１１は、ユーザーからのチャンネル切替え要求の有無を監視し、チャンネル切替え要求があるまで切替え要求を待ちの待機を行い、チャンネル切替え要求があった場合には、チャンネルチェンジ要求有りと判定してステップＳ１７に進む。
【００７３】
ステップＳ１７で、システム制御手段１１の判定手段１１１は、ステップＳ１６で計時開始させた経過時間をチェックし、一定時間（Ｔ８）を経過していないと判定した場合には、ステップＳ７に進む。
【００７４】
ステップＳ７で、システム制御手段１１は、信号セレクト手段１０を介してチューナ１のチャンネルを要求チャンネルに切替える。
【００７５】
ステップＳ８で、システム制御手段１１は、チューナ１で選局された映像データを表示モニタに出力できるように出力選択スイッチを切替え、ステップＳ４で説明した経路と同じ経路を介して表示モニタに出力する。
【００７６】
一方、ステップＳ１７で、システム制御手段１１の判定手段１１１が、一定時間（Ｔ８）を経過したと判定した場合には、ステップＳ９に進む。
【００７７】
ステップＳ９で、システム制御手段１１のチャンネル割込み要求受信手段（チャンネル切替手段）１１３は、信号セレクト手段１０を介してもう一方のチューナ２の状態をチェックし、チューナ２が録画中等で既に使用中であるならば、ステップＳ７に進む指示を出力して、チューナ１のチャンネルを要求チャンネルに切替え、ステップＳ８でチューナ１の選局データを表示部に出力できるように出力選択スイッチを切替え、更にステップＳ１５に戻り再度ＣＭ終了点検出の待機を行う。一方、ステップＳ９で、チューナ２が未使用であると判定した場合は、ステップＳ１０に進む。
【００７８】
ステップＳ１０で、システム制御手段１１のチャンネル固定手段１１２は、チューナ２のチャンネルを要求チャンネルに切替えると同時にチューナ１で受信しているチャンネルを固定する。
【００７９】
ステップＳ１１で、システム制御手段１１は、チューナ２の選局データを表示部に出力できるように出力選択スイッチを切替える。
【００８０】
そしてステップ１２で、システム制御手段１１は、チューナ２で選局しているデータをチューナ１の一時記録とは別に一時記録手段５５への格納を開始する。そしてステップＳ４に戻りチューナ２の選局番組を表示モニタへ出力させる。
【００８１】
以上説明した通り、第２実施例の動作及び処理を行うことにより、ＣＭが終了するＣＭ終了点信号を検出するまではユーザーのチャンネル切替えに応じて一時記録を行い、ＣＭ終了点信号を検出後においてユーザーがなお一定時間（ここではＴ８）特定のチャンネルを選局していることを検出した場合には、ＣＭの終了を待ってでも継続して番組を視聴するユーザーの意思があるとみなして、この選局チャンネルを固定し、その後のチャンネル切替えは他方のチューナを使用して一時記録を行う。これによりユーザーが視聴を希望する優先度の高い番組は、チューナ１で固定して受信するとともに一時記録手段５４に記憶させ、その期間内に何気なく視聴した番組は、チューナ２で受信するとともに一時記録手段５５に記憶させることで、ユーザーが再視聴を望んだときに、その時点に遡って視聴することが可能になる。
【００８２】
次に、図１０を参照して本発明の第３実施例について説明する。本実施例において放送受信再生装置の構成は、第２実施例で説明した構成と同じであるためその説明は省略する。また説明を分かりやすくするため、図１０では一時記録装置Ｃ２の表記は省略してある。
【００８３】
この放送受信再生装置は、電源投入時（ｔ６１）から一時記録機能が作動するように予め設定がなされており、これによってＣ１（ｔ６１）＝記録（Ｃ２（ｔ６１）＝記録）となり、各チューナを介して取得した映像データの記録を開始する。
【００８４】
ここでシステム制御手段１１は、ユーザーからのチャンネル切替え要求  Ｕ（ｔ６２）＝Ｃｈ1、Ｕ（ｔ６３）＝Ｃｈ３、Ｕ（ｔ６４）＝Ｃｈ４、Ｕ（ｔ６５）＝Ｃｈ６、Ｕ（ｔ６６）＝Ｃｈ1を受けると、これに応じてチューナＴｕ１はＴｕ１（ｔ６２）＝Ｃｈ1、Ｔｕ１（ｔ６３）＝Ｃｈ３、Ｔｕ１（ｔ６４）＝Ｃｈ４、Ｔｕ１（ｔ６５）＝Ｃｈ６、Ｔｕ１（ｔ６６）＝Ｃｈ1に選局させる。そしてチューナＴｕ１を介して取得した入力信号２を一時記録装置Ｃ１にＣ１（ｔ６２）＝Ｃｈ1、Ｃ１（ｔ６３）＝Ｃｈ３、Ｃ１（ｔ６４）＝Ｃｈ４、Ｃ１（ｔ６５）＝Ｃｈ６、Ｃ１（ｔ６６）＝Ｃｈ１の順に録画させ、次いで、ユーザーからのチャンネル切替え要求  Ｕ（ｔ６８）＝Ｃｈ４を受信した時は、チューナＴｕ１で受信している番組がＣＭ中であるならば、チューナＴｕ１の選局及び一時記録装置Ｃ１への録画はそれまで通り継続し、ユーザー要求に対しては他方のチューナＴｕ２を適用させる。即ち、Ｔｕ２（ｔ６８）＝Ｃｈ４となる。
【００８５】
同様に、これ以降のユーザーからのチャンネル切替え要求  Ｕ（ｔ７０）＝Ｃｈ３、Ｕ（ｔ７１）＝Ｃｈ1がユーザーから出力されると、チューナＴｕ２はＴｕ２（ｔ７０）＝Ｃｈ３、Ｔｕ２（ｔ７１）＝Ｃｈ１に選局され、このチューナＴｕ２からの信号を一時記録装置Ｃ２がＣ２（ｔ７０）＝Ｃｈ３、Ｃ２（ｔ７１）＝Ｃｈ1と順次切替え及び録画を行うものであり、見かけ上、ＣＭ放映の最中にチャンネル切替え要求があった場合はチャンネルがロック（固定）され、それ以降のチャンネル切替えはチューナＴｕ２が受け持つことで、ユーザーが見ていた番組をユーザーのチャンネル切替えに関係なく一時記録装置に自動で連続記録させるものである。
【００８６】
次に、図１１を参照して上記処理工程を説明する。但し、ここでは説明を簡素化するためにチャンネル切替え及び一時記録の動作に限定して説明する。尚、本処理工程は、図７の処理工程と比較して、ステップＳ３を削除し、ステップＳ６に代えてステップＳ１８を設けた点のみ異なるが、説明の関係上、電源投入時からの一連の処理を説明する。
【００８７】
まず、放送受信再生装置の電源をＯＮして装置を起動させる。
【００８８】
ステップＳ１で、システム制御手段１１は、ＲＯＭに予め記憶されているシステム起動プログラムを読込み、この起動処理の一環としてチューナ１及び２を起動させる。
【００８９】
ステップＳ２で、システム制御手段１１は、信号セレクト手段１０を介してチューナ１及び２のデータ受信状態を確認し、どちらのチューナも受信を開始していない場合は、予め優先順位が高く設定されているチューナ１から映像データの受信を開始させる。そしてシステム制御手段１１は、記録制御手段５２を介して記録信号処理手段５１に、同じ映像データを、保存用映像データとリアルタイム表示用映像データの２系統で取得させる。そして保存用の映像データには圧縮処理等の記録信号処理を施す指示を行い、リアルタイム表示用映像については後工程で説明する表示装置への表示を指示する。次いでシステム制御手段１１は、記録メディアマネージメント手段５３に対して記録信号処理手段５１で記録信号処理された映像データの格納を指示する。記録メディアマネージメント手段５３は、記録制御手段５２を介して取得した記録信号処理済みの映像データを一時記録手段５４に記憶させる。
【００９０】
ステップＳ４で、システム制御手段１１は、ステップＳ２でリアルタイム表示用映像データとして取得した映像データを、記録信号処理手段５１、記録制御手段５２、記録メディアマネージメント手段５３、再生制御手段１２、表示制御手段１４及びディスプレイ表示Ｙ処理手段１５を介して表示モニタ（ＴＶ等）に表示させる。
【００９１】
ステップＳ５で、システム制御手段１１の判定手段１１１は、ユーザーからのチャンネル切替え要求の有無を監視し、チャンネル切替え要求があるまで切替え要求を待ちの待機を行い、チャンネル切替え要求があった場合には、チャンネルチェンジ要求有りと判定してステップＳ１８に進む。
【００９２】
ステップＳ１８で、システム制御手段１１の判定手段１１１は、現在受信中の番組がＣＭ放映中であるか否かを判定し、ＣＭ放映中でない場合にはステップＳ７に進む。
【００９３】
ステップＳ７で、システム制御手段１１は、信号セレクト手段１０を介してチューナ１のチャンネルを要求チャンネルに切替える。
【００９４】
ステップＳ８で、システム制御手段１１は、チューナ１で選局された映像データを表示モニタに出力できるように出力選択スイッチを切替え、ステップＳ４で説明した経路と同じ経路を介して表示モニタに出力する。
【００９５】
一方、ステップＳ１８で、ＣＭ放映中であることを検出した場合には、ステップＳ９に進む。
【００９６】
ステップＳ９で、システム制御手段１１のチャンネル割込み要求受信手段（チャンネル切替手段）１１３は、信号セレクト手段１０を介してもう一方のチューナ２の状態をチェックし、チューナ２が録画中等で既に使用中であるならば、ステップＳ７に進む指示を出力して、チューナ１のチャンネルを要求チャンネルに切替え、ステップＳ８でチューナ１の選局データを表示部に出力できるように出力選択スイッチを切替え、更にステップＳ４に現在受信中の映像を表示モニタに表示させる。一方、ステップＳ９で、チューナ２が未使用であると判定した場合は、ステップＳ１０に進む。
【００９７】
ステップＳ１０で、システム制御手段１１のチャンネル固定手段１１２は、チューナ２のチャンネルを要求チャンネルに切替えると同時にチューナ１で受信しているチャンネルを固定する。
【００９８】
ステップＳ１１で、システム制御手段１１は、チューナ２の選局データを表示部に出力できるように出力選択スイッチを切替える。
【００９９】
そしてステップ１２で、システム制御手段１１は、チューナ２で選局しているデータをチューナ１の一時記録とは別に一時記録手段５５への格納を開始する。そしてステップＳ４に戻りチューナ２の選局番組を表示モニタへ出力させる。
【０１００】
以上説明した通り、第３実施例の動作及び処理を行うことにより、ＣＭが開始するまではユーザーのチャンネル切替えに応じて一時記録を行い、ＣＭが開始したことを検出すると、ＣＭの開始時点と終了時点を検出し、ユーザーによるチャンネル切替要求指示がＣＭの最中に供給されたと判定した場合には、チャンネル切替要求指示に対応する時間とＣＭ開始時点との時間間隔が一定時間を経過したか否かを判定する。判定の結果、一定時間を経過していると判定された場合には、この一定時間経過時に選択されている受信チャンネルを固定するとともに一時記憶装置に継続して記録させ続ける。これにより視聴中の番組がＣＭになった際に他のチャンネルをちょっと見るといったケースにおいても、それまで見ていた番組の録画を自動的に継続録画することで、ＣＭ中に他の番組を見ている間に元の番組の見落す等ということを低減させることができる。
【０１０１】
なお、この第３実施例において、チャンネル切替がＣＭ中であるかを判断する際に、チャンネル切替前の番組を一定時間（Ｔ９）以上視聴したことを確認したうえで、このような場合におけるＣＭに対してのみ、ＣＭ中の切替要求と判定してもよい。これによりユーザーがそれまでの番組を視聴していたもの判断し、更にＣＭに変わってからのチャンネル切替であって、ＣＭ終了後に再び視聴する可能性がある番組である、という判断を一層的確なものとすることができる。
【０１０２】
次に、図１２を参照して本発明の第４実施例について説明する。本実施例において放送受信再生装置の構成は、第２実施例で説明した構成と同じであるためその説明は省略する。また説明を分かりやすくするため、図１０では一時記録装置Ｃ２の表記は省略してある。
【０１０３】
この放送受信再生装置は、電源投入時（ｔ７２）から一時記録機能が作動するように予め設定がなされており、これによってＣ１（ｔ７２）＝記録（Ｃ２（ｔ７２）＝記録）となり、各チューナを介して取得した映像データの記録を開始する。
【０１０４】
ここでシステム制御手段１１は、ユーザーからのチャンネル切替え要求  Ｕ（ｔ７３）＝Ｃｈ６、Ｕ（ｔ７４）＝Ｃｈ１、Ｕ（ｔ７５）＝Ｃｈ３、Ｕ（ｔ７６）＝Ｃｈ１を受けると、これに応じてチューナＴｕ１はＴｕ１（ｔ７３）＝Ｃｈ６、Ｔｕ１（ｔ７４）＝Ｃｈ１、Ｔｕ１（ｔ７５）＝Ｃｈ３、Ｔｕ１（ｔ７６）＝Ｃｈ１に選局させる。そしてチューナＴｕ１を介して取得した入力信号２を一時記録装置Ｃ１にＣ１（ｔ７３）＝Ｃｈ６、Ｃ１（ｔ７４）＝Ｃｈ１、Ｃ１（ｔ７５）＝Ｃｈ３、Ｃ１（ｔ７６）＝Ｃｈ１と順に録画させ、次いで、ユーザーから、一時記録装置Ｃ１に一時記録していたデータの再生を要求するＵ（ｔ７７）＝再生を受けると、時記録装置からユーザー所望のデータを読み出す。即ち、Ｐ１（ｔ７７）＝再生Ｃｈ１となる。このような様態にある時、更にユーザーからのチャンネル切替え要求  Ｕ（ｔ７８）＝Ｃｈ４が発せられた時は、再生状態をＰ１（ｔ７８）＝停止として停止させ、他方のチューナＴｕ２を用いてチャンネル切替え要求に応対し、Ｔｕ２（ｔ７８）＝Ｃｈ４とし、表示部にその選局番組を出力する。即ち、Ｄ（ｔ７８）＝Ｃｈ４とする。この時、チューナＴｕ１の選局及び一時記録装置Ｃ１への録画処理はそれまで通り継続して行うものとする。
【０１０５】
同様に、これ以降のユーザーからのチャンネル切替え要求  Ｕ（ｔ７９）＝Ｃｈ３に対しても、チューナＴｕ２がＴｕ２（ｔ７０）＝Ｃｈ３に選局され、このＴｕ２からの信号を一時記録装置Ｃ２がＣ２（ｔ７９）＝Ｃｈ３と録画を行うものであり、見かけ上、一時記録データが再生された場合はチャンネルがロック（固定）され、それ以降のチャンネル切替えはチューナＴｕ２が受け持つことで、ユーザーが見ていた番組で改めてユーザーが見直している番組はチャンネル移動に関係なく一時記録装置に自動で連続記録させるものである。
【０１０６】
次に、図１３を参照して上記処理工程を説明する。但し、ここでは説明を簡素化するためにチャンネル切替え及び一時記録の動作に限定して説明する。尚、本処理工程は、図７の処理工程と比較して、ステップＳ３を削除し、ステップＳ６に代えてステップＳ１９を設けた点のみが異なるが、説明の関係上、電源投入時からの一連の処理を説明する。
【０１０７】
まず、放送受信再生装置の電源をＯＮして装置を起動させる。
【０１０８】
ステップＳ１で、システム制御手段１１は、ＲＯＭに予め記憶されているシステム起動プログラムを読込み、この起動処理の一環としてチューナ１及び２を起動させる。
【０１０９】
ステップＳ２で、システム制御手段１１は、信号セレクト手段１０を介してチューナ１及び２のデータ受信状態を確認し、どちらのチューナも受信を開始していない場合は、予め優先順位が高く設定されているチューナ１から映像データの受信を開始させる。そしてシステム制御手段１１は、記録制御手段５２を介して記録信号処理手段５１に、同じ映像データを、保存用映像データとリアルタイム表示用映像データの２系統で取得させる。そして保存用の映像データには圧縮処理等の記録信号処理を施す指示を行い、リアルタイム表示用映像については後工程で説明する表示装置への表示を指示する。次いでシステム制御手段１１は、記録メディアマネージメント手段５３に対して記録信号処理手段５１で記録信号処理された映像データの格納を指示する。記録メディアマネージメント手段５３は、記録制御手段５２を介して取得した記録信号処理済みの映像データを一時記録手段５４に記憶させる。
【０１１０】
ステップＳ４で、システム制御手段１１は、ステップＳ２でリアルタイム表示用映像データとして取得した映像データを、記録信号処理手段５１、記録制御手段５２、記録メディアマネージメント手段５３、再生制御手段１２、表示制御手段１４及びディスプレイ表示Ｙ処理手段１５を介して表示モニタ（ＴＶ等）に表示させる。
【０１１１】
ステップＳ５で、システム制御手段１１の判定手段１１１は、ユーザーからのチャンネル切替え要求の有無を監視し、チャンネル切替え要求があるまで切替え要求を待ちの待機を行い、チャンネル切替え要求があった場合には、チャンネルチェンジ要求有りと判定してステップＳ１９に進む。
【０１１２】
ステップＳ１８で、システム制御手段１１の判定手段１１１は、記録メディアマネージメント手段５３を介して現在の一時記録データが再生されているか否かを判定し、再生中でない場合はステップＳ７に進む。
【０１１３】
ステップＳ７で、システム制御手段１１は、信号セレクト手段１０を介してチューナ１のチャンネルを要求チャンネルに切替える。
【０１１４】
ステップＳ８で、システム制御手段１１は、チューナ１で選局された映像データを表示モニタに出力できるように出力選択スイッチを切替え、ステップＳ４で説明した経路と同じ経路を介して表示モニタに出力する。
【０１１５】
一方、ステップＳ１９で、一時記録データが再生中であることを検出した場合には、ステップＳ９に進む。
【０１１６】
ステップＳ９で、システム制御手段１１のチャンネル割込み要求受信手段（チャンネル切替手段）１１３は、信号セレクト手段１０を介してもう一方のチューナ２の状態をチェックし、チューナ２が録画中等で既に使用中であるならば、ステップＳ７に進む指示を出力して、チューナ１のチャンネルを要求チャンネルに切替え、ステップＳ８でチューナ１の選局データを表示部に出力できるように出力選択スイッチを切替え、更にステップＳ４に現在受信中の映像を表示モニタに表示させる。一方、ステップＳ９で、チューナ２が未使用であると判定した場合は、ステップＳ１０に進む。
【０１１７】
ステップＳ１０で、システム制御手段１１のチャンネル固定手段１１２は、チューナ２のチャンネルを要求チャンネルに切替えると同時にチューナ１で受信しているチャンネルを固定する。
【０１１８】
ステップＳ１１で、システム制御手段１１は、チューナ２の選局データを表示部に出力できるように出力選択スイッチを切替える。
【０１１９】
そしてステップ１２で、システム制御手段１１は、チューナ２で選局しているデータをチューナ１の一時記録とは別に一時記録手段５５への格納を開始する。そしてステップＳ４に戻りチューナ２の選局番組を表示モニタへ出力させる。
【０１２０】
以上説明した通り、第４実施例の動作及び処理を行うことにより、ユーザーが一時記録していたデータを再生視聴したことで、その番組への関心を認め、以降のチャンネル移動に影響されないようにその番組の録画を自動的に一時記録装置へ継続記録する。
【０１２１】
尚、本実施例において、チャンネル切替えが再生中であるかを判断する際に、その際の再生経過時間をチェックし、一定の時間以上は再生視聴されている場合のみユーザーの関心からの再生であるとし、ユーザーの誤操作等による再生を再生判定から除外することで、ユーザーの番組への関心判定を一層的確になものにすることができる。
【図面の簡単な説明】
【０１２２】
【図１】本発明に係る放送受信再生装置の一実施形態の構成を示したブロック図である。
【図２】本発明に係る放送受信再生装置が備える制御手段と記録処理手段の具体的な構成を示したブロック図である。
【図３】放送受信再生装置の基本システムを説明するためのタイミングイメージ図（その１）である。
【図４】放送受信再生装置の基本システムを説明するためのタイミングイメージ図（その２）である。
【図５】放送受信再生装置の基本システムを説明するためのタイミングイメージ図（その３）である。
【図６】本発明の第１実施例に係る放送受信再生装置の動作を説明するためのタイミングイメージ図である。
【図７】本発明の第１実施例に係る放送受信再生装置の動作を説明するためのフローチャートである。
【図８】本発明の第２実施例に係る放送受信再生装置の動作を説明するためのタイミングイメージ図である。
【図９】本発明の第２実施例に係る放送受信再生装置の動作を説明するためのフローチャートである。
【図１０】本発明の第３実施例に係る放送受信再生装置の動作を説明するためのタイミングイメージ図である。
【図１１】本発明の第３実施例に係る放送受信再生装置の動作を説明するためのフローチャートである。
【図１２】本発明の第４実施例に係る放送受信再生装置の動作を説明するためのタイミングイメージ図である。
【図１３】本発明の第４実施例に係る放送受信再生装置の動作を説明するためのフローチャートである。
【符号の説明】
【０１２３】
１…制御手段
２…入力手段
３…放送受信手段
４…放送受信手段
５…記録処理手段
６…表示手段
７…ユーザー制御手段
８…出力手段
１０…信号セレクト手段
１１…システム制御手段
１２…再生制御手段
１３…再生信号処理手段
１４…表示制御手段
１５…ディスプレイ表示処理手段
１６…予約録画制御手段
１７…システムタイマー手段
５１…記録信号処理手段
５２…記録制御手段
５３…記録メディアマネージメント手段
５４…一時記録手段
５５…一時記録手段
５６…記録手段
１１１…判定手段
１１２…チャンネル固定手段
１１３…チャンネル切替手段
１１４…ＣＭ検出手段
【図１】
2007104317.tif 000003
【図２】
2007104317.tif 000004
【図３】
2007104317.tif 000005
【図４】
2007104317.tif 000006
【図５】
2007104317.tif 000007
【図６】
2007104317.tif 000008
【図７】
2007104317.tif 000009
【図８】
2007104317.tif 000010
【図９】
2007104317.tif 000011
【図１０】
2007104317.tif 000012
【図１１】
2007104317.tif 000013
【図１２】
2007104317.tif 000014
【図１３】
2007104317.tif 000015